(57)【要約】【課題】例えば自動車やオートバイなどに搭載される計器を収納する計器装置において、外部応力によってアンダーカバーが変形し、それによってバイザーがアンダーカバーから外れることを防ぐことができる計器装置を提供する【解決手段】計器１を組み付ける計器ハウジング２と、計器ハウジング２の前面側を覆うバイザー５と、計器ハウジング２を収納すると共にバイザー５と係合結合されるアンダーカバー６とを備えた計器装置において、計器ハウジング２がアンダーカバー６との対向面に複数のリブ２２を有するように構成したことにより、アンダーカバー６の変形を抑制することができ、これによってバイザー５とアンダーカバー６との係合外れを防止することができる計器装置を得ることができる。【選択図】図１
2009128198.tif 000002
【特許請求の範囲】
【請求項１】
計器を組み付ける計器ハウジングと、前記計器ハウジングの前面側を覆うバイザーと、前記計器ハウジングを収納すると共に前記バイザーと係合結合されるアンダーカバーとを備えた計器装置において、前記計器ハウジングが前記アンダーカバーとの対向面に複数のリブを有することを特徴とする計器装置。
【請求項２】
前記計器ハウジングに前記計器の表示面を取り巻いて前方側に延びる壁部を設け、この壁部の外壁面に前記リブを設けると共に、前記壁部の内壁面を遮蔽部材によって覆ってなることを特徴とする請求項１に記載の計器装置。
【発明の詳細な説明】
【技術分野】
【０００１】
本発明は、例えば自動車やオートバイなどに搭載される計器を収納する計器装置に関するものである。
【背景技術】
【０００２】
従来、自動車やオートバイなどに装備される計器装置として、例えば下記特許文献１記載のものが知られている。この計器装置は計器類を組み付ける計器ハウジングと、前記計器ハウジングの前面側を覆うバイザーと、前記計器ハウジングを収納すると共に前記バイザーと係合結合されるアンダーカバーとを備えている。
【特許文献１】特開２００７―２０５７３０号公報
【発明の開示】
【発明が解決しようとする課題】
【０００３】
しかしながら、特許文献１記載の計器装置などにおいては、アンダーカバーの取り扱い時に外部応力が加わることによってアンダーカバーが変形し、係合部にてアンダーカバーに係合結合されているバイザーが外れてしまうといった問題点を有していた。
【０００４】
そこで本発明は、この様な問題点に鑑みなされたもので、計器装置の取り扱い時に外部応力によってアンダーカバーが変形し、それによってバイザーがアンダーカバーから外れることを防ぐことができる計器装置を提供することを目標とする。
【課題を解決するための手段】
【０００５】
本発明は前記課題を解決するため、計器を組み付ける計器ハウジングと、前記計器ハウジングの前面側を覆うバイザーと、前記計器ハウジングを収納すると共に前記バイザーと係合結合されるアンダーカバーとを備えた計器装置において、前記計器ハウジングが前記アンダーカバーとの対向面に複数のリブを有するものである。
【０００６】
また、本発明は  前記計器ハウジングに前記計器の表示面を取り巻いて前方側に延びる壁部を設け、この壁部の外壁面に前記リブを設けると共に、前記壁部の内壁面を遮蔽部材によって覆ってなるものである。
【発明の効果】
【０００７】
計器ハウジングの外壁面にリブを設けることによってアンダーカバーの変形を抑制し、前記バイザーとアンダーカバーとの係合外れを防止することができる計器装置を得ることができる。
【発明を実施するための最良の形態】
【０００８】
以下、添付図面に基づいて、本発明の計器装置を車輌用の指示計器に適用した実施例として説明する。図１、図２は本発明の第１の実施形態を示すもので、図１は本実施形態による計器装置の斜視図、図２は本実施形態による計器装置の正面図である。
【０００９】
本実施形態の計器装置は、図１に示すように、計器１と、計器ハウジング２と、見返し板３と、カバープレート４と、バイザー５と、アンダーカバー６とから主に構成されている。
【００１０】
計器１は、硬質材料からなる回路基板（図示せず）を有し、この回路基板の背面側に、例えばステッピングモータなどからなる計器本体（図示せず）が組み付け固定され、この計器本体に設けられた指針軸の先端に指針軸を軸心として回転する、例えば透光性合成樹脂からなる指針１１が圧入固定されている。回路基板の前面側及び指針１１の背面側には透光性合成樹脂板に速度等を示す目盛や数字等の指標部１３がスクリーン印刷された表示板１２が配置されてあり、指針１１が計測量に応じて指標部１３を指示する。また回路基板上には指標部１０を透過照明するための光源（図示せず）と、指針を発光照明するための指針用光源（図示せず）が備えられている。
【００１１】
計器ハウジング２は、例えば白色の遮光性のある合成樹脂からなる枠状のケースであり、計器１が保持される。計器ハウジング２には表示板１２を取り巻いて前方側に延びる壁部２１が設けられ、この壁部２１の外壁面に複数の変形防止用リブ２２が突き出し形成され、このリブ２２は組付状態において後述するアンダーカバー１１内壁に接触しているか、またはわずかに隙間を有した状態で設けられている。
【００１２】
また計器ハウジング２上部には、組み付けの際に第１のビス１０１が表示板１２側から挿通される第１の穴部１１１が設けられている。計器ハウジング２底面には第２のビス１０２が後述するアンダーカバー６の底面側から挿通され、計器ハウジング２とアンダーカバー６をビス固定するための第２の取付けボス部（図示せず）が設けられている。
【００１３】
見返し板３は、例えば黒色の遮光性のある合成樹脂からなり、表示板１２の前方側及び周縁と計器ハウジング２の壁部２１を目隠しするように壁部２１の内壁面に配設され、この見返し板３の前方側は計器１の表示面側から塵埃が侵入しないように合成樹脂材料からなる透視可能なカバープレート４によって覆われている。
【００１４】
バイザー５は、例えば遮光性のある合成樹脂からなり、計器ハウジング２の周縁部分を覆って目隠ししたり、外観を保つためにカバープレート４の外郭周縁部分に配置されている。バイザー５には、バイザー５の計器１側周縁に複数の係合部６１が設けられている。バイザー５の後方には、計器ハウジング２、回路基板および計器本体などを収納する後述するアンダーカバー６が嵌め込まれている。
【００１５】
アンダーカバー６は、例えば遮光性のある合成樹脂からなる椀形のケースであり、アンダーカバー６の内壁面には係合部６１と対応する位置に被係合部６４が形成されている。また、アンダーカバー６の内壁面にはアンダーカバー６の奥行き方向に沿って突き出し形成され、計器ハウジング２の周縁下面が当接する受けリブ６２が設けられている。
【００１６】
またアンダーカバー６の底面側には、回路基板から延長する配線などが貫通する開口部が設けられ、その開口部の計器ハウジング２の第２の取付けボス部に対応する場所に、組付けの際に第２のビス１０２がアンダーカバー６の底面側から挿通される第２の穴部１１２が設けられている。またアンダーカバー６の奥行き方向には計器ハウジング２の第１の穴部１１１に対応する場所に、第１のビス１０１が挿通され計器ハウジング２とアンダーカバー６をビス固定するための第１の取付けボス部（図示せず）が設けられている。
【００１７】
本実施形態における計器装置の組み付け構造としては、まず計器１が組付けられた計器ハウジング２をアンダーカバー６に収納し、第１のビス１０１及び第２のビス１０２を用いてそれぞれ第１の取付けボス部及び第２の取付けボス部に螺着し、固定する。
【００１８】
次に、予めカバープレート４を装着した見返し板３を計器ハウジング２の内壁面に沿って配設する。
【００１９】
最後に、バイザー５をカバープレート４の前面側を覆うように配設し、バイザー５に設けられた係合部６１とアンダーカバー６に設けられた被係合部６４との係合結合によって組付け固定する。
【００２０】
この様に、本実施形態では、計器１を組み付ける計器ハウジング２と、計器ハウジング２の前面側を覆うバイザー５と、計器ハウジング２を収納すると共にバイザー５と係合結合されるアンダーカバー６とを備えた計器装置において、計器ハウジング２がアンダーカバー６との対向面に複数のリブ２２を有するように構成したことにより、リブ２２によってアンダーカバー６の変形を抑制することができ、これによってバイザー５とアンダーカバー６との係合外れを防止する。
【００２１】
また、計器ハウジング２に計器１の表示板１２を取り巻いて前方側に延びる壁部２１を設け、この壁部２１の外壁面にリブ２２を設けると共に、壁部２１の内壁面を見返し板３によって覆うことによって、計器ハウジング２が視認されてしまうことを防止することができるため、見栄え品質を保つことができる。
【００２２】
なお計器ハウジング２とアンダーカバー６との固定の際には、お互いに凹凸嵌合もしくは挿入嵌合をする位置決め部を設けることによって、それぞれの部品の位置決めを行ってもよい。
【図面の簡単な説明】
【００２３】
【図１】本発明第一実施形態における計器装置を示す斜視図である。
【図２】本発明第一実施形態における計器装置を示す正面図である。
【符号の説明】
【００２４】
１      計器
２      計器ハウジング
３      見返し板
４      カバープレート
５      バイザー
６      アンダーカバー
１１    指針
１２    表示板
１３    指標部
２１    壁部
２２    リブ
６１    係合部
６２    受けリブ
６４    被係合部
１０１  第1のビス
１０２  第２のビス
１１１  第１の穴部
１１２  第２の穴部
【図１】
2009128198.tif 000003
【図２】
2009128198.tif 000004